(57)【要約】      （修正有）【課題】携帯式電子装置に適用する軽便式機能拡張ユニットを提供する。【解決手段】ベース板モジュール１と、ケースモジュール２と、回路基板モジュール３と、第一入出力モジュール４と、第二入出力モジュール５と、ロックユニット６とを含む。ケースモジュールは、ベース板モジュールに組み合わせるためのケース２０を備える。回路基板モジュールは、ケースモジュールのケース内に設けられる。第一入出力モジュールはケース上に設けられ、第一入出力モジュールは、回路基板モジュールと複数の異なる周辺電子設備との間に電気的に接続される。第二入出力モジュールはケース上に設けられ、第二入出力モジュールは、回路基板モジュールと携帯式電子装置の外付けコネクタとの間に電気的に接続される。ロックユニットは、携帯式電子装置の下端に位置された二つの係止溝に組み合わせる。【選択図】図１
0003151324.tif 000002
【実用新案登録請求の範囲】
【請求項１】
ベース板モジュールと、
前記ベース板モジュールに組み合わせるためのケースを備えるケースモジュールと、
前記ケースモジュールのケース内に設けられる回路基板モジュールと、
前記ケースモジュールのケース上に設けられ、前記回路基板モジュールと複数の異なる周辺電子設備との間に電気的に接続される第一入出力モジュールと、
前記ケースモジュールのケース上に設けられ、前記回路基板モジュールと携帯式電子装置の外付けコネクタとの間に電気的に接続される第二入出力モジュールと、
前記携帯式電子装置の下端に位置された二つの係止溝に組み合わせるロックユニットと、を含むことを特徴とする携帯式電子装置に適用する軽便式機能拡張ユニット。
【請求項２】
前記第一入出力モジュールは前記ケースの後端に設けられ、前記第一入出力モジュールは、前記異なる周辺電子設備と電気的に組み合わせるための複数のポートを備え、前記第二入出力モジュールは前記ケースの上端に設けられ、前記第二入出力モジュールは、前記携帯式電子装置の外付けコネクタに電気的に組み合わせる電気コネクタであることを特徴とする請求項１に記載の携帯式電子装置に適用する軽便式機能拡張ユニット。
【請求項３】
前記ケースモジュールは、さらに、前記ケースの上端に設けられた少なくとも二つの位置決め突起を有し、前記二つの位置決め突起は、それぞれ、前記携帯式電子装置の下端に位置された二つの位置決め凹部と組み合わせ、前記携帯式電子装置を前記ケースの上端に位置決めさせ、前記ケースモジュールは、さらに、前記ケースの上端にそれぞれ設けられた少なくとも二つの弾性パッドと、前記ケースの後方に設けられたロック孔とを備えることを特徴とする請求項１に記載の携帯式電子装置に適用する軽便式機能拡張ユニット。
【請求項４】
さらに、前記ケースの上端に設けられ、前記携帯式電子装置を上へ押し付けて移動させる前記ロックユニットを備え、前記ロックユニットは、前記ケースの位置制限により一部のみ前記ケースの上端に突出された少なくとも二つの可動凸部と、それぞれ前記可動凸部の下端に設けられ、少なくとも二つの可動凸部をそれぞれ上へ押し付けて移動させる少なくとも二つのばねとを含むことを特徴とする請求項１に記載の携帯式電子装置に適用する軽便式機能拡張ユニット。
【請求項５】
前記ロックユニットは、前記ケースの上端に突出され前記二つの係止溝と組み合わせる二つの可動フックと、前記ケースの底端に設けられた二つの押し部と、前記二つの可動フックと前記二つの押し部との間に設けられた二つの連動機構と、前記二つの可動フック、前記二つの押し部及び前記二つの連動機構を復帰させるように付勢する複数のばねとを含み、前記二つの押し部を同時に押すことにより、前記二つの連動機構をそれぞれ連動し、前記二つの可動フックを前記二つの係止溝からそれぞれ離脱させることを特徴とする請求項１に記載の携帯式電子装置に適用する軽便式機能拡張ユニット。
【考案の詳細な説明】
【技術分野】
【０００１】
本考案は、機能拡張ユニットに関し、特に、携帯式電子装置に適用する軽便式機能拡張ユニットに関するものである。
【背景技術】
【０００２】
軽薄、短小化の設計傾向につれて、現在、ノートパソコンがますます小型化されている。一方、一部の機構部品には大きさに条件があるため、ノートパソコンの小型化には限界がある。そのため、ノートパソコンを小型化する場合にも卓上型コンピュータと同じ機能を具備するため、ノートパソコンに適用する機能拡張ユニット（ｄｏｃｋｉｎｇ  ｓｔａｔｉｏｎ）が開発されている。
【０００３】
このような機能拡張ユニットは、複数のインターフェース規格のポート、例えば、ＵＳＢや、ＰＳ／２ポート、ＩＥＥＥ１３９４、パラレルポート（ｐａｒａｌｌｅｌ  ｐｏｒｔ）、シリアルポート（ｓｅｒｉａｌ  ｐｏｒｔ）、イーサネット（登録商標）ポート（ＲＪ−４５）及び光ディスク等からなり、機能拡張ユニットとノートパソコンとが分離する設計方式によって、ノートパソコンの重さを大幅に軽減し、小型化することができる。また、ノートパソコンを周辺装置と接続する必要がある場合、ユーザはノートパソコンを機能拡張ユニット上に置けば、周辺装置とデータ伝送作業を行え、或いはノートパソコンの充電作業を行える。
【０００４】
しかしながら、従来の機能拡張ユニットは体積がいずれも非常に大きいので、ユーザにとって携帯の時にやや不便となる。また、従来の機能拡張ユニットはいずれも、機能拡張ユニットとノートパソコンとの係合関係を制御するための押し部を上方に設けているが、機能拡張ユニットの上方に押し部が設けられると、機能拡張ユニットに配置されたノートパソコンが非常に盗まれ易く、盗難防止の効果を有効に達成できない。
【０００５】
以上から分かるように、現在、従来の機能拡張ユニットには、不便や欠点が明らかに存在し、改善されるべきである。
【０００６】
本考案者は、上記欠点を改良するため、長年この領域で積み立てた経験により鋭意研究し、さらに学術理論を運用することで、合理的な設計でありかつ前記欠点を有効に改善できる本考案を提案した。
【考案の概要】
【考案が解決しようとする課題】
【０００７】
本考案の主な目的は、携帯式電子装置に適用する軽便式機能拡張ユニットを提供することである。当該機能拡張ユニットは構造が簡単であり且つ体積が非常に小さいことを特徴とするので、ユーザが携帯し易くなる。また、本考案は、押し部をケースの下方に隠して設置するので、本考案の外見を向上させるだけではなく、該押し部が押し難くなり、盗難防止の効果を有効に達成できる。例えば、押し部を押すには比較的大きな動作が必要ある（該軽便式機能拡張ユニットを持ち上げる或いは反転する必要がある）ので、周辺の人の注意を起こし易く、盗難防止の効果を有効に達成できる。
【課題を解決するための手段】
【０００８】
前記問題を解決するため、本考案による携帯式電子装置に適用する軽便式機能拡張ユニットは、ベース板モジュールと、ケースモジュールと、回路基板モジュールと、第一入出力モジュールと、第二入出力モジュールと、ロックユニットとを含む。前記ケースモジュールは、前記ベース板モジュールに組み合わせるためのケースを備える。前記回路基板モジュールは、前記ケースモジュールのケース内に設けられる。前記第一入出力モジュールは、前記ケースモジュールのケース上に設けられ、前記第一入出力モジュールは、前記回路基板モジュールと複数の異なる周辺電子設備との間に電気的に接続される。前記第二入出力モジュールは、前記ケースモジュールのケース上に設けられ、前記第二入出力モジュールは、前記回路基板モジュールと前記携帯式電子装置の外付けコネクタとの間に電気的に接続される。前記ロックユニットは、前記携帯式電子装置の下端に位置された二つの係止溝に組み合わせる。
【０００９】
本考案の所定目的を達成するために採択した技術、手段及び機能については、本考案に関わる下記の詳しい説明及び添付図面を参照することにより、深く且つ具体的な理解が得られる。しかし、それらの添付図面は参考及び説明のみに使われ、本考案の主張範囲を狭義的に局限するものではない。
【図面の簡単な説明】
【００１０】
【図１】本考案による携帯式電子装置に適用する軽便式機能拡張ユニットを示す分解斜視図である。
【図２Ａ】本考案による携帯式電子装置に適用する軽便式機能拡張ユニットを示す斜視図である。
【図２Ｂ】本考案による携帯式電子装置に適用する軽便式機能拡張ユニットを他方向からみた斜視図である。
【図２Ｃ】本考案による携帯式電子装置に適用する軽便式機能拡張ユニットとの電気組み合わせを示す斜視図である。
【図３】本考案による携帯式電子装置に適用する軽便式機能拡張ユニットのロックユニットを示す分解斜視図である。
【図３Ａ１】本考案による携帯式電子装置に適用する軽便式機能拡張ユニットのロックユニットの、可動フックを引く前の状態を示す斜視図である。
【図３Ａ２】本考案による携帯式電子装置に適用する軽便式機能拡張ユニットのロックユニット、可動フックを引く前の状態を示す側面図である。
【図３Ａ３】本考案による携帯式電子装置に適用する軽便式機能拡張ユニットのロックユニットの、可動フックを引く前の状態における携帯式電子装置との電気組み合わせを示す側面図である。
【図３Ｂ１】本考案による携帯式電子装置に適用する軽便式機能拡張ユニットのロックユニットの、可動フックを引いた後の状態を示す斜視図である。
【図３Ｂ２】本考案による携帯式電子装置に適用する軽便式機能拡張ユニットのロックユニットの、可動フックを引いた後の状態を示す側面図である。
【図３Ｂ３】本考案による携帯式電子装置に適用する軽便式機能拡張ユニットのロックユニットの、可動フックを引いた後における携帯式電子装置との電気組み合わせを示す側面図である。
【図３Ｃ】本考案による携帯式電子装置に適用する軽便式機能拡張ユニットのばねユニットの突出後の状態を示す側面図である。
【考案を実施するための形態】
【００１１】
図１〜図２Ｃに示すように、図１は、本考案による携帯式電子装置に適用する軽便式機能拡張ユニットを示す分解斜視図である。図２Ａは、本考案による携帯式電子装置に適用する軽便式機能拡張ユニットを示す斜視図である。図２Ｂは、本考案による携帯式電子装置に適用する軽便式機能拡張ユニットを他方向からみた斜視図である。図２Ｃは、本考案による携帯式電子装置に適用する軽便式機能拡張ユニットとの電気組み合わせを示す斜視図である。
【００１２】
図１及び図２Ａから分かるように、本考案による携帯式電子装置に適用する軽便式機能拡張ユニットは、ベース板モジュール１と、ケースモジュール２と、回路基板モジュール３と、第一入出力モジュール４と、第二入出力モジュール５と、ロックユニット６とを含む。
【００１３】
ベース板モジュール１は、平面部１０と、平面部１０に形成された二つの開口１１と、平面部１０の底端に設置された複数のばね部１２（図２Ｂ参照）と、平面部１０の四側縁から上へ屈折された四つの支持部１３とを備える。
【００１４】
また、ケースモジュール２は、ケース２０と、少なくとも二つの弾性パッド２１と、ロック孔２２（図２Ｂ参照）と、少なくとも二つの位置決め突起２３と、ばねユニット２４とを備える。少なくとも二つの弾性パッド２１は、いずれもケース２０の上端に設けられ、ロック孔２２は、ケース２０の後方に設けられ、少なくとも二つの位置決め突起２３は、いずれもケース２０の上端に設けられ、ばねユニット２４は、ケース２０の上端に設けられる。
【００１５】
また、回路基板モジュール３は、ケースモジュール２のケース２０内に設けられる。回路板モジュール３は、第一入出力モジュール４及び第二入出力モジュール５の電気接続インターフェースとして機能する。
【００１６】
さらに、図２Ｂから分かるように、第一入出力モジュール４は、ケースモジュール２のケース２０の後端に設けられる。第一入出力モジュール４は、回路基板モジュール３と複数の異なる周辺電子設備Ｐとの間に電気的に接続される。本考案の実施例によれば、第一入出力モジュール４は、これらの異なる周辺電子設備Ｐと電気的に組み合わせるための複数のポート４０を備える。
【００１７】
また、図２Ｃから分かるように、第二入出力モジュール５は、ケースモジュール２のケース２０の上端に設けられる。第二入出力モジュール５は、回路基板モジュール３と携帯式電子装置Ｎの外付けコネクタＮ１との間に電気的に接続される。本考案の実施例によれば、第二入出力モジュール５は、携帯式電子装置Ｎの外付けコネクタＮ１に電気的に組み合わせる電気コネクタ５０である。
【００１８】
図３は、本考案による携帯式電子装置に適用する軽便式機能拡張ユニットのロックユニットを示す分解斜視図である。
【００１９】
図３Ａ１〜図３Ａ３に示すように、図３Ａ１は、本考案による携帯式電子装置に適用する軽便式機能拡張ユニットのロックユニットの、可動フックを引く前の状態を示す斜視図である。図３Ａ２は、本考案による携帯式電子装置に適用する軽便式機能拡張ユニットのロックユニットの、可動フックを引く前の状態を示す側面図である。図３Ａ３は、本考案による携帯式電子装置に適用する軽便式機能拡張ユニットのロックユニットの、可動フックを引く前における携帯式電子装置との電気組み合わせを示す側面図である。
【００２０】
図３Ｂ１〜図３Ｂ３に示すように、図３Ｂ１は、本考案による携帯式電子装置に適用する軽便式機能拡張ユニットのロックユニットの、可動フックを引いた後の状態を示す斜視図である。図３Ｂ２は、本考案による携帯式電子装置に適用する軽便式機能拡張ユニットのロックユニットの、可動フックを引いた後の状態を示す側面図である。図３Ｂ３は、本考案による携帯式電子装置に適用する軽便式機能拡張ユニットのロックユニットの、可動フックを引いた後における携帯式電子装置との電気組み合わせを示す側面図である。
【００２１】
図３Ｃに示すように、図３Ｃは、本考案による携帯式電子装置に適用する軽便式機能拡張ユニットのばねユニットの突出後の状態を示す側面図である。
【００２２】
図３Ａ３、図３Ｂ３、図３Ｃから分かるように、ケース２０の上端に設けられた少なくとも二つの位置決め突起２３は、それぞれ、携帯式電子装置Ｎの下端に位置された二つの位置決め凹部Ｎ２と組み合わせ、携帯式電子装置Ｎをケース２０の上端に位置決めさせる。
【００２３】
また、ケース２０の上端に設けられたばねユニット２４は、ケース２０の位置制限により一部のみケース２０の上端に突出された少なくとも二つの可動凸部２４０と、それぞれの可動凸部２４０の下端に設けられ、該可動凸部２４０を上へ押し付けて移動させる少なくとも二つのばね２４１とを含む。
【００２４】
また、ロックユニット６は、ケース２０の上端に設けられ、携帯式電子装置Ｎの下端に位置された二つの係止溝Ｎ３と組み合わせるためのものである。また、ロックユニット６は、ケース２０の上端に突出され二つの係止溝Ｎ３と組み合わせる二つの可動フック６０と、ケース２０の底端に設けられた二つの押し部６１と、二つの可動フック６０と押し部６１との間に設けられた二つの連動機構６２と、二つの可動フック６０、押し部６１及び連動機構６２を復帰させるように付勢する複数のばね６３とを含む。また、二つの押し部６１は、ベース板モジュール１の二つの開口１１を介して露出される。
【００２５】
そのため、図３Ａ３及び図３Ｂ３に示すように、ユーザは二つの押し部６１を押すと、押し部６１は二つの連動機構６２をそれぞれ連動させ、二つの可動フック６０を二つの係止溝Ｎ３からそれぞれ離脱させる。同時に、図３Ｃに合せて示すように、ばねユニット２４のばね２４１の付勢力により、携帯式電子装置Ｎを上へ押し付けて移動させる。この際、ユーザは携帯式電子装置Ｎを取り出すことができる。
【００２６】
以上のように、本考案による携帯式電子装置に適用する軽便式機能拡張ユニットは、構造が簡単であり且つ体積が非常に小さいことを特徴とするので、ユーザが携帯し易くなる。また、本考案は、押し部をケースの下方に隠して設置するので、本考案の美観を向上させるだけではなく、該押し部が押し難くなり、盗難防止の効果を有効に達成できる。例えば、押し部を押すと大きな動作が必要ある（該軽便式機能拡張ユニットを持ち上げる或いは反転する必要がある）ので、周辺の人の注意を起こし易く、盗難防止の効果を有効に達成できる。
【００２７】
以上の説明は、単に本考案の好ましい具体的な実施例の詳細説明及び図面に過ぎず、本考案の実用新案登録請求の範囲を局限するものではない。当業者であれば、本考案の分野の中で、適当な変更や修飾などを実施できるが、それらの実施が本考案の主張範囲内に納まることは言うまでもない。
【符号の説明】
【００２８】
１ベース板モジュール
２ケースモジュール
３回路基板モジュール
４第一入出力モジュール
５第二入出力モジュール
６ロックユニット
１０平面部
１１開口
１２ばね部
１３支持部
２０ケース
２１弾性パッド
２２ロック孔
２３位置決め突起
２４ばねユニット
４０ポート
５０電気コネクタ
２４０可動凸部
２４１ばね
６０可動フック
６１押し部
６２連動機構
６３ばね
Ｐ周辺電子設備
Ｎ携帯式電子装置
Ｎ１外付けコネクタ
Ｎ２位置決め凹部
Ｎ３係止溝
【図１】
0003151324.tif 000003
【図２Ａ】
0003151324.tif 000004
【図２Ｂ】
0003151324.tif 000005
【図２Ｃ】
0003151324.tif 000006
【図３】
0003151324.tif 000007
【図３Ａ１】
0003151324.tif 000008
【図３Ａ２】
0003151324.tif 000009
【図３Ａ３】
0003151324.tif 000010
【図３Ｂ１】
0003151324.tif 000011
【図３Ｂ２】
0003151324.tif 000012
【図３Ｂ３】
0003151324.tif 000013
【図３Ｃ】
0003151324.tif 000014